(57)【要約】  【課題】  本発明の目的は発光体による表示や装飾に対し、コントラストを高め、さらに高い視野角が得られる太陽光発電装置を提供することにある。  【解決手段】  複数個の太陽電池素子を面状に並べ、これら各太陽電池素子の間に発光体を太陽電池素子の受光面側と反対側に配置し、これらの太陽電池素子を背面にして発光体を発光させるように成した太陽電池モジュールであって、前記発光体にこの発光体が発した光を反射する反射鏡を設けたこと特徴とする太陽光発電装置。  【選択図】  図１
2005072320.tif 000002
【特許請求の範囲】
【請求項１】
複数個の太陽電池素子を面状に並べ、これら各太陽電池素子の間に発光体を太陽電池素子の受光面側と反対側に配置し、これらの太陽電池素子を背面にして発光体を発光させるように成した太陽電池モジュールであって、前記発光体にこの発光体が発した光を反射する反射鏡を設けたこと特徴とする太陽光発電装置。
【請求項２】
少なくとも前記太陽電池素子の裏面の端部に反射鏡を設けたこと特徴とする請求項１に記載の太陽光発電装置。
【請求項３】
複数個の太陽電池素子を面状に並べ、これら各太陽電池素子の間に発光体を太陽電池素子の受光面上に配置し、これらの太陽電池素子を背面にして発光体を発光させるように成した太陽電池モジュールであって、前記発光体にこの発光体が発した光を反射する反射鏡を設けたこと特徴とする太陽光発電装置。
【請求項４】
前記複数個の太陽電池素子をマトリックス状に配列したことを特徴とする請求項１ないし３のいずれかに記載の太陽光発電装置。
【請求項５】
前記複数個の太陽電池素子を千鳥状に配列したことを特徴とする請求項１ないし３のいずれかに記載の太陽光発電装置。
【請求項６】
前記太陽電池モジュールおよび該太陽電池モジュールを支持する枠体を備えたことを特徴とする請求項１ないし５のいずれかに記載の太陽光発電装置。
【請求項７】
前記発光体がＬＥＤであることを特徴とする請求項１ないし６のいずれかに記載の太陽光発電装置。
【発明の詳細な説明】
【技術分野】
【０００１】
本発明は複数個の太陽電池素子を面状に並べて成る太陽光発電装置に関し、とくにこれら太陽電池素子を背面にしてＬＥＤなどの発光体を配し、そして、表示性や装飾性を得るようにした太陽光発電装置に関するものである。
【背景技術】
【０００２】
一般的に太陽光発電装置は、住宅の屋根などに太陽電池アレイを配置し、そして、太陽光を光電変換し、電力を得るというものである。
【０００３】
この使用例を図６と図１４により説明する。
【０００４】
図６は住宅１の屋根などに太陽光発電装置２を配置した場合を示す。また、図１４はこの太陽光発電装置２において、その太陽電池アレイ３を構成する個々の太陽電池モジュール４の概略断面図である。
【０００５】
図６に示す太陽光発電装置２によれば、太陽電池モジュール４を複数配設して太陽電池アレイ３となし、そして、この太陽電池アレイ３で発電された電力を送電ケーブル５および接続箱６を通して系統連系インバータ７へ送電する。
【０００６】
さらに詳しく述べると、この太陽電池アレイ３によれば、複数枚の太陽電池モジュール４を直列に接続してストリングとするが、このストリングを１列にしたり、もしくは２列以上集めている。
【０００７】
上記送電ケーブル５の電線は、このようなストリングの数に応じて設けるが、送電ケーブル５の電線を接続箱６で並列接続し、そして、太陽電池アレイ３で発電された直流電力を交流電力に変換する系統連系インバータ７に入力し、一般の交流負荷に供給したり、もしくは系統連系により電力会社へ売電することができる。
【０００８】
図１４に示す太陽電池モジュール４によれば、８は太陽電池素子であり、たとえばシリコン等から成る半導体の光電変換効果を利用して電力が得られるように構成したものであって、このような太陽電池素子８を複数個直列および並列に電気的に接続し、そして、耐候性のある素材で覆うように成し、所要の出力電圧や出力電流を得るようにしている。
【０００９】
かかる太陽電池モジュール４においては、太陽電池素子８の受光面にはガラス板や合成樹脂板などの光透過板９を配置し、その裏面である非受光面にはテフロンフィルムやＰＶＦ（ポリフッ化ビニル）、ＰＥＴ（ポレエチレンテレフタレート）などの耐候性フィルム１０を被着し、そして、これら光透過板９、太陽電池素子８および耐候性フィルム１０の重ね構造の矩形状の本体に対し、その各辺周囲をアルミニウム金属やＳＵＳ等から成る枠体１１を挟み込むように装着し、太陽電池モジュール４全体の強度を高めている。
【００１０】
また、太陽電池モジュール４の裏面には、すなわち耐候性フィルム１０の上にはＡＢＳ樹脂などの合成樹脂やアルミニウム金属などで構成したジャンクションボックス１２を接着し、太陽電池モジュール４の出力電力を取り出すターミナルと成す。
【００１１】
以上のとおり、一般的には太陽光発電装置２は、太陽光を電気に変換する発電用として用いる。
【００１２】
しかしながら、近年、上記のごとく、太陽電池モジュールの内部に複数個の同形の太陽電池素子を並べた構成を利用し、一部の太陽電池素子の色を他の素子の色と違えることで、太陽電池モジュール（または太陽電池アレイ）上に文字や模様を構築し、意匠性を備えさせる技術が提案されている。さらに特許文献１によれば、夜間において視認できるように、受光面側にガラス板を配置し、その端部にＬＥＤを設け、そして、このＬＥＤにて太陽電池モジュールの受光面を発光させることも記載されている。
【００１３】
図１５に特許文献１に記載した太陽電池モジュールのごとく、受光面側のガラス板の端部にＬＥＤを設けた構成を示す。
【００１４】
同図はこの太陽電池モジュール１３の概略断面図である。なお、図１４に示す太陽電池モジュール４と同一箇所には同一符号を記す。
【００１５】
この太陽電池モジュール１３においては、光透過板９の端面に向かってＬＥＤ１４を配置しており、その他の構成は図１４に示す太陽電池モジュール４と同じである。
【００１６】
上記構成の太陽電池モジュール１３によれば、ＬＥＤ１４にて光透過板９の端面を照射したことで、太陽電池素子８に対し夜間にてライトアップができる。
【００１７】
参考までに意匠性を備えた太陽電池モジュールではないが、ＬＥＤなどの発光体を太陽電池モジュールに組み込んだ公知技術を述べる。
【００１８】
特許文献２に示す安全警告灯においては、省電力の発光ダイオ−ドを用いることで、そして、蓄電池と組み合わせることで、その発光ダイオ−ドに対し蓄電池からの電気を供給させ発光させることが記載されている。
【００１９】
また、特許文献３によれば、太陽電池モジュール内に発光体を組み込み、そして、太陽電池モジュールの故障が生じた場合に、その発光体の発光でもって故障を表示し、これにより、異常が生じている太陽電池モジュールを特定する作業が容易になり、その結果、従来のごとく、正常な発電への迅速な回復することに対し、多くの時間と労力を要するという課題を解消できたことが提案されている。
【特許文献１】特開２００３−９２００８号公報
【特許文献２】実開平６−８６１８７号公報
【特許文献３】特開平９−１４８６１３号公報
【発明の開示】
【発明が解決しようとする課題】
【００２０】
上述した特許文献１の太陽電池モジュールによれば、受光面側のガラス板の端部にＬＥＤを設けることで、太陽電池素子に対し夜間にてライトアップができるという技術であり、ＬＥＤ自体でもって表示する機能を備えていない。
【００２１】
このように太陽電池モジュールに対し、ＬＥＤを用いる場合には、かかる太陽電池素子に対するライトアップや、特許文献２や特許文献３のごとく信号表示にて用いるのであって、複数個のＬＥＤを配列することで、表示性や装飾性を高めるように工夫する技術は、いまだ提案されていないのである。
【００２２】
本発明者は上記事情に鑑みて鋭意研究に努めた結果、複数個の太陽電池素子を面状に並べた太陽電池素子群に対し、さらにこれら各太陽電池素子の間に発光体を配置することで、個々の発光体の点灯に対し、その傍に配置した太陽電池素子群が背面と成り、それらの点灯がより顕著になり、コントラストを高め、優れた表示性や装飾性が得られることを見出した。
【００２３】
したがって本発明は上記知見により完成されたものであり、その目的は発光体による表示や装飾に対し、コントラストを高めた太陽光発電装置を提供することにある。
【００２４】
本発明の他の目的は昼間でも優れた表示性や装飾性が得られる太陽光発電装置を提供することにある。
【００２５】
本発明のさらに他の目的は表示性や装飾性とともに、高い視野角を得るようにした太陽光発電装置に関するものである。
【課題を解決するための手段】
【００２６】
本発明の太陽光発電装置は、複数個の太陽電池素子を面状に並べ、これら各太陽電池素子の間に発光体を太陽電池素子の受光面側と反対側に配置し、これらの太陽電池素子を背面にして発光体を発光させるように成した太陽電池モジュールであって、前記発光体にこの発光体が発した光を反射する反射鏡を設けたこと特徴とする。
【００２７】
本発明の他の太陽光発電装置は、少なくとも前記太陽電池素子の裏面の端部に反射鏡を設けたこと特徴とする。
【００２８】
本発明の他の太陽光発電装置は、複数個の太陽電池素子を面状に並べ、これら各太陽電池素子の間に発光体を太陽電池素子の受光面上に配置し、これらの太陽電池素子を背面にして発光体を発光させるように成した太陽電池モジュールであって、前記発光体にこの発光体が発した光を反射する反射鏡を設けたこと特徴とする。
【００２９】
本発明のさらに他の太陽光発電装置は、前記複数個の太陽電池素子をマトリックス状に配列したことを特徴とする。
【００３０】
本発明の他の太陽光発電装置は、前記複数個の太陽電池素子を千鳥状に配列したことを特徴とする。
【００３１】
また、本発明の他の太陽光発電装置は、前記太陽電池モジュールおよび該太陽電池モジュールを支持する枠体を備えたことを特徴とする。
【００３２】
さらに、本発明の他の太陽光発電装置は、前記発光体がＬＥＤであることを特徴とする。
【発明の効果】
【００３３】
本発明の太陽光発電装置によれば、上記構成のごとく、複数個の太陽電池素子を面状に並べ、これら各太陽電池素子の間に発光体を太陽電池素子の受光面側と反対側に配置し、これらの太陽電池素子を背面にして発光体を発光させるように成した太陽電池モジュールであって、前記発光体にこの発光体が発した光を反射する反射鏡を設けたことで、その太陽電池素子の青色などの色調が背面となって、発光体の輝度を高め、コントラストを向上させることができるだけでなく、さらに発光体から出射された光は反射鏡によって反射され、その反射光によってより高い視野角が得られる。
【００３４】
また、少なくとも前記太陽電池素子の裏面の端部に反射部を設けたことで、発光体から出射された光が前記太陽電池素子の裏面に当たっている部分について再反射され、再利用が可能となり、視野角もさらに高められる効果が得られる。
【００３５】
また、複数個の太陽電池素子を面状に並べ、複数個の太陽電池素子を面状に並べ、これら各太陽電池素子の間に発光体を太陽電池素子の受光面上に配置し、これらの太陽電池素子を背面にして発光体を発光させるように成した太陽電池モジュールであって、前記発光体にこの発光体が発した光を反射する反射鏡を設けたことで、その太陽電池素子の青色などの色調が背面となって、発光体の輝度を高め、コントラストを向上させることができる。
【００３６】
また、本発明によれば、複数個の太陽電池素子をマトリックス状に並べたり、もしくは千鳥状に並べたことで、あるいは、その外観をさまざまな様相にでき、そして、これら様相を背面にし、さらに発光体を各太陽電池素子の間に配置することで、優れた表示性や装飾性が得られた。
【発明を実施するための最良の形態】
【００３７】
以下に、本発明に係る太陽光発電装置の実施形態について、模式的に図示した図面に基づき詳細に説明する。
【００３８】
図１は本発明の太陽光発電装置の太陽電池モジュール１５を模式的に説明する概略断面図、図２はこの太陽電池モジュール１５の要部拡大図、図３は太陽電池モジュール１５において発光体の取り付け可能な領域（同図中、斜線部分にて示す）を示す上面図である。
【００３９】
また、図４は本発明の太陽光発電装置の太陽電池モジュール１５において、外来光が太陽電池素子で遮られる様子を説明する一部透視図である。図５本発明に係る太陽電池モジュールの太陽電池素子の裏面の端部に反射鏡を設けた実施例の要部拡大図、図６は本発明に係る太陽電池モジュールの太陽電池素子の受光面上に発光体を設け、さらに発光体と太陽電池素子の受光面との間に反射鏡を設けた実施例の概略断面図、図７は本発明に係る太陽電池モジュールの太陽電池素子の受光面上に発光体を設け、さらに発光体と太陽電池素子の受光面との間に反射鏡を設けた実施例の要部拡大図である。さらに図８は本発明に係る太陽光発電装置の発光体への配線を説明する配線図である。
【００４０】
本発明の太陽光発電装置においても、たとえば、図９に示すごとく、住宅１の屋根などに太陽光発電装置を配置する。
【００４１】
以下、この太陽光発電装置を構成する太陽電池モジュール１５について述べる。
【００４２】
図１に示すように、太陽電池モジュール１５は主にシリコン等から成る太陽電池素子１６（１６ａ〜１６ｅ）を所定の枚数を直列および並列に接続して成り、任意の出力電圧，出力電流を得るようにしている。
【００４３】
本例においては、複数個の太陽電池素子１６（１６ａ〜１６ｅ）をマトリックス状に配列する。
【００４４】
これら太陽電池素子１６の受光面にはガラス板や合成樹脂板などの光透過板１７を配置し、他方の非受光面（裏面）には光透過性のあるテドラフィルム（ＰＶＦ（ポリフッ化ビニル））などの耐候性フィルム１８を被着する。このような合成樹脂材を用いる代わりに、ガラス板を用いてもよい。
【００４５】
そして、光透過板１７と耐候性フィルム１８との間にたとえばＥＶＡ（エチレン−酢酸ビニル共重合樹脂）などから成る透明な合成樹脂を介在し、充填材１９と成している。
【００４６】
このような構成の太陽電池モジュール１５において、さらに非受光面（裏面）側の耐候性フィルム１８の外側には、ＡＢＳ樹脂やアルミニウム金属などから成るジャンクションボックス２０を接着している。そして、このジャンクションボックス２０を通して出力電力を取り出すようにターミナルとしている。
【００４７】
また、かかる太陽電池モジュール１５によれば、通常、矩形状を成すが、その本体の周囲四方を挟み込む枠体２１を設け、そして、枠体２１でもって太陽電池モジュール１５の本体を支持し、全体の強度を向上させている。
【００４８】
このような枠体２１は、たとえばアルミニウム金属やＳＵＳ等により構成する。
【００４９】
上述したごとく、太陽電池素子１６（１６ａ〜１６ｅ）を所定の枚数を直列および並列に接続して成るが、所定の出力電力を得るために直列および並列数を定める。
【００５０】
そして、このような配列においては、隣り合う太陽電池素子１６（１６ａ〜１６ｅ）同士の正極、負極の配線や短絡防止のために隙間２２が設けられる。
【００５１】
たとえば、太陽電池素子１６ａと太陽電池素子１６ｂとの間には間隙２２ａ、太陽電池素子１６ｂと太陽電池素子１６ｃとの間には間隙２２ｂ、太陽電池素子１６ｃと太陽電池素子１６ｄとの間には間隙２２ｃ、太陽電池素子１６ｄと太陽電池素子１６ｅとの間には間隙２２ｄが存在する。
【００５２】
本発明の太陽光発電装置によれば、このように複数個の太陽電池素子１６（１６ａ〜１６ｅ）を面状に並べた太陽電池モジュール１５において、さらにこれら各太陽電池素子１６（１６ａ〜１６ｅ）の間に発光体２３を配置し、これらの太陽電池素子１６を背面にして発光体２３を発光させるように成したことが特徴である。
【００５３】
本例によれば、間隙２２ａに対応して発光体２３ａを、間隙２２ｂに対応して発光体２３ｂを、間隙２２ｃに対応して発光体２３ｃを、間隙２２ｄに対応して発光体２３ｄを配置する。
【００５４】
これら発光体２３（２３ａ〜２３ｅ）は、たとえばＬＥＤ（発光ダイオード）やランプがある。
【００５５】
そして、これら発光体２３（２３ａ〜２３ｅ）を耐候性フィルム１８上に、アクリル系両面接着テープや、アクリル系接着剤、シリコン系接着材（樹脂）などから成る接着部材にて取り付ける。これら接着材は、耐候性が良く、しかも、後の取り外しが容易であるという点でよい。たとえば、３Ｍ社のＶＨＢテープ（登録商標）が好適である。
【００５６】
さらに、図１及び図２に示すように発光体２３の太陽電池素子側と反対側に発光体２３が発した光を反射する反射鏡３０を設けている。
【００５７】
また、図５に示すように、太陽電池素子１６の裏面の端部に反射鏡を設けるとなおよい。
【００５８】
また、発光体２３が太陽電池素子１６の受光面側と反対側に配置されるかわりに、図６及び図７に示すように太陽電池素子１６の受光面上（光透過板１７面上）に配置されてもよい。
【００５９】
図２に示すように、発光体２３から照射された光が非受光面の耐候性フィルム１８を通過した後、太陽電池素子１６（１６ａ〜１６ｅ）の隙間２２（２２ａ〜２２ｄ）に充填された光透過性の充填材１９を透過し、さらに光透過板１７を透過し、この発光体２３の発光（輝度）が視認できる。
【００６０】
本発明によれば、複数個の太陽電池素子１６（１６ａ〜１６ｅ）をマトリックス状に配列した太陽電池モジュール１５であることで、各太陽電池素子１６（１６ａ〜１６ｅ）の隙間２２は、図３に示すごとく、格子状（同図中、斜線部分）に成る。
【００６１】
かくして本発明の太陽光発電装置の太陽電池モジュール１５によれば、格子状の隙間２２に対し、どの部位に発光体２３を配置してもよく、これによって所要どおりの表示や装飾性が得られた。
【００６２】
また、表示や装飾のための発光体２３において、その発光の背面に非発光の太陽電池素子１６（１６ａ〜１６ｅ）を配置したことで、その輝度が高くなった。とくに青色や濃青色の太陽電池素子１６を、その発光の背面に配置した構成にしたことで、その輝度が顕著になった。
【００６３】
さらにまた、上記のごとく格子状の隙間２２によれば、発光体２３を配置した部位以外の領域においては、太陽電池モジュールの裏側が屋根などで遮光されているので、隙間２２は影になることで暗くなり、たとえば灰色や黒っぽい色になる傾向にあり、このような領域と比べても発光体２３の輝度が顕著になる。
【００６４】
太陽電池素子１６と枠体２１と間にも間隙２２を設けた構成の太陽電池モジュール１５においては、そのような間隙２２に対しても発光体２３を配置し、これによって、さらに表示性や装飾性を高めてもよい。
【００６５】
この点を図４により説明する。
【００６６】
同図は図３に示す切断面線Ａ−Ａによる断面図である。
【００６７】
外来光の光路を示す図４によれば、矢印（破線）で示した外来光は光透過板１７を通過した後、太陽電池素子１６により遮られ、間隙２２の下にまで光が到達しにくくなり、これにより、間隙２２において、発光体２３の前面に周囲よりも暗い部分を作り出し、その結果、コントラストが生じ、発光体２３の発する光をより明るく視認させることができる。
【００６８】
以上のとおり、昼間などの外来光がある場合、発光体２３の輝度だけであれば、その発光が弱くなるが、さらに本発明のごとく、発光体２３の前方に遮光物（本発明における太陽電池素子１６に相当する）を配することで、発光体２３の発光が顕著になる。よって、発光体２３の数量を増やすこともなく、明るさを向上させ、これによって部品点数が削減でき、消費電力の低減化がはかられる。
【００６９】
参考までに、もし、発光体２３の前方に遮光物がない構造を想定した場合、すなわち、通常、ＬＥＤや電球などの発光体が発光した光を、外部に効率よく取り出すために、その発光体の周りに透明もしくは透光性のガラス材や樹脂材などで作成したカバーを設けることが考えられる。
【００７０】
しかしながら、昼間の太陽光の光などを受けた場合には、発光体が太陽光で照らされ、発光体全体の照度が高くなり、これにより、発光体の発光と周囲の明るさとの間にて差が少なくなり、その結果、コントラストが低くなるばかりか、ＬＥＤなどのように構造上発光部に反射鏡面を有するものでは、ＬＥＤの発光輝度よりも輝度の高い太陽光（散乱光を含む）も反射させることになり、より一層視認が低下する。
【００７１】
つぎに図１および図２に示すように、本発明によれば、発光体２３を太陽電池素子１６の受光面側と反対側に配置し、さらに発光体２３の後部に反射鏡３０を設けることで、発光体２３から出射され、さらに反射鏡３０で反射され、太陽電池素子１６の隙間を通った光の一部は、発光体２３から直接出射された光より発光体２３の中心軸となす角度が大きく、つまり反射鏡３０のないときより大きな視野角が得られる。光透過板１７の真正面のみでなく、光透過板１７の斜め方向からもはっきりとこの光の画像を視認できる。
【００７２】
また、図５に示したように、太陽電池素子１６の裏面の端部に反射鏡３１を設けることで、発光体２３から出射され、太陽電池素子１６の裏面の端部に当たった光はこの反射鏡３１で反射され、さらに反射鏡３０で反射され、太陽電池素子１６の隙間を通って出射される。この部分の反射光によって、発光体２３の出射光の効率利用ができ、また、この反射光の一部と発光体の中心軸となす角度はさらに大きくなり、より高い視野角が得られる。
【００７３】
また、図６、図７に示したように、発光体２３を光透過板１７上に配置し、さらに発光体２３と光透過板１７との間に反射鏡３０を設けることで、反射鏡３０がないときに、発光体２３から出射した光の一部が太陽電池素子１６の表面に当り、発光体表示のコントラストを低くしてしまうのに対して、反射鏡３０がないときに太陽電池素子１６の表面に当る光がこの反射鏡３０によって反射され、発光体表示のコントラストをさらに高めることができる。
【００７４】
つぎに図５にて太陽光発電装置の発光体２３への配線を説明する。
【００７５】
同図においては、図８に示すごとく、住宅１の屋根などに本発明の太陽光発電装置を配置した場合でもって述べる。
【００７６】
太陽電池モジュール１５（１５ａ〜１５ｄ）を有する太陽光発電装置では、家屋の屋根上から接続箱６に引き回される送電ケーブル２４（２４ａ〜２４ｄ）や接続箱６とパワーコンディショナ７とを接続する送電ケーブル２５とは別に、さらに発光体２３に電力を供給する送電線２６を設ける。
【００７７】
具体的には商用電力系統２７からの交流電力を点灯制御回路２８に送り、さらに点灯制御回路２８から発光体２３を点灯（もしくは点滅）させる電力を送電線２６で送るものである。
【００７８】
このような構成によれば、発光体２３への電力供給に対し、専用の電力線を使用しているので、発光体２３は直流による駆動でも、あるいは交流による駆動でもよい。
【００７９】
したがって、発光体２３を電球からＬＥＤに変更したり、その逆への変更が容易におこなうことができる。
【００８０】
なお、本例では商用電力系統２７から電力を取っているが、この商用電力系統に代えて、バッテリーや燃料電池などの直流電力源、もしくは昼間の発光であれば、太陽電池の発電電力から電力を取るようにしてもよい。
【００８１】
つぎに本発明者はミノルタ株式会社製の色彩色差計を用いて、本発明の太陽光発電装置の受光面上に配し、昼間にて光源を点灯し、そして、輝度を測定した。
【００８２】
本例においては、この色彩色差計の配置を発光させた発光体２３上、および太陽電池素子１６上に設定することで、それぞれの輝度を求め、さらにコントラストを評価した。
【００８３】
この評価結果によれば、コントラストが顕著に高くなり、これによって昼間でも優れた表示性や装飾性が得られることがわかった。
【００８４】
本発明者は、上記構成のごとく、複数個の太陽電池素子１６（１６ａ〜１６ｅ）をマトリックス状に配列した太陽電池モジュール１５ａ、１５ｂ、１５ｃを使用した太陽光発電装置の実施例を（例１）〜（例４）にて説明する。これらの例を図１０〜図１３に示す。
【００８５】
また、複数個の太陽電池素子１６（１６ａ〜１６ｅ）を千鳥状に配列した太陽電池モジュール１５ｄを使用した太陽光発電装置の実施例を（例５）にて説明する。この例を図１４に示す。なお、これら各図は太陽光発電装置の正面図である。
【００８６】
（例１）
本例を図１０に示す。
【００８７】
同図は本発明の太陽光発電装置を一枚の太陽電池モジュール１５ａにて構成し、そして、１太陽電池モジュール中に複数の文字や数字を７セグメントなどの表示方法で表示させる。
【００８８】
この太陽光発電装置（太陽電池モジュール１５ａ）によれば、複数個の太陽電池素子１６をマトリックス状に配列し、枠体２１でもって太陽電池モジュール１５ａの本体を支持している。
【００８９】
そして、これら太陽電池素子１６の間の隙間２２に発光体２３を配列し、所要の表示に応じて点灯する。
【００９０】
上記構成の太陽光発電装置の太陽電池モジュール１５ａによれば、格子状の隙間２２に対し、その隙間２２にそって発光体２３を配列し、７セグメント表示させる。
【００９１】
図１０は日時を表示するように成している。この太陽電池モジュール１５ａの上段に日付「１２日」を示し、下段に時間「１９：００」を示す。
【００９２】
これら表記には、７セグメントなどの表示方法にしたがって発光体を配置し、本例によれば、黒点にて発光体２３の発光を示す。
【００９３】
なお、格子状の隙間２２には、これら黒点にて点灯した発光体２３を示すが、これら以外にも非点灯の発光体２３が配列されているが、明記していない。
【００９４】
かくして本発明の太陽光発電装置によれば、７セグメント表示の発光体２３に対し、その発光の背面に非発光の太陽電池素子１６を配置したことで、その輝度が高くなった。とくに青色や濃青色の太陽電池素子１６を、その発光の背面に配置した構成にしたことで、昼間でも、その輝度が顕著になった。
【００９５】
なお、本例では枠体２１を有する太陽電池モジュールとしているが、枠体を廃し、支持部材に固定カバー等で固定される取り付け構造としてもよい。
【００９６】
（例２）
本例を図１１に示す。
【００９７】
同図に示す太陽光発電装置によれば、複数の太陽電池モジュール１５ｂを配列し、それぞれの太陽電池モジュール１５ｂでもって、個々の文字や数字、アルファベットなどを表記する。
【００９８】
本例においては、４枚の太陽電池モジュール１５ｂにて構成し、そして、「ＫＯＢＥ」と表記した場合である。
【００９９】
この太陽光発電装置によれば、複数個の太陽電池素子１６をマトリックス状に配列した太陽電池モジュール１５ｂを、４個配列し、それぞれの太陽電池モジュール１５ｂに対し、表示文字に対応して発光体２３の配置部位を固定している。
【０１００】
この太陽光発電装置によれば、複数個の太陽電池素子１６をマトリックス状に配列した太陽電池モジュール１５ｂを、４個配列し、それぞれの太陽電池モジュール１５ｂに対し、表示文字に対応して発光体２３の配置部位を固定している。
【０１０１】
かくして本発明の太陽光発電装置によれば、表示文字に対応して配置した発光体２３に対し、その発光の背面に非発光の太陽電池素子１６を配置したことで、その輝度が高くなった。とくに青色や濃青色の太陽電池素子１６を、その発光の背面に配置した構成にしたことで、昼間でも、その輝度が顕著になった。
【０１０２】
（例３）
本例を図１２に示す。
【０１０３】
同図に示す太陽光発電装置によれば、複数の太陽電池モジュール１５ｃを配列し、これらにて一つの文字や数字、アルファベットなどを表記する。
【０１０４】
本例においては、複数個の太陽電池素子１６をマトリックス状に配列した２枚の太陽電池モジュール１５ｃにて構成し、そして、「京」と表記した場合である。なお、表示文字に対応して発光体２３の配置部位を固定している。
【０１０５】
かくして本発明の太陽光発電装置によれば、表示文字に対応して配置した発光体２３に対し、その発光の背面に非発光の太陽電池素子１６を配置したことで、その輝度が高くなった。とくに青色や濃青色の太陽電池素子１６を、その発光の背面に配置した構成にしたことで、昼間でも、その輝度が顕著になった。
【０１０６】
本例の太陽光発電装置においては、複数の太陽電池モジュール１５ｃに跨って１文字を表示していることで、複雑な漢字などの表示が容易になる。
【０１０７】
また、本例では枠体を廃し、支持部材に固定カバー等で固定される取り付け構造としたが、このような構造にしたことで、複数の太陽電池モジュールの文字が連続して見え、文章を作るのに好適である。
【０１０８】
（例４）
上述した（例１）〜（例３）の太陽光発電装置においては、矩形状の太陽電池モジュールを用いたが、これに代えて三角形状の太陽電池モジュールを用いた太陽光発電装置を図１３にて説明する。
【０１０９】
同図に示す太陽光発電装置によれば、一個の三角形状の太陽電池モジュール１５ｄに対し、その内部に複数個の太陽電池素子１６をマトリックス状に配列し、さらに、枠体２１でもって太陽電池モジュール１５ｄの本体を支持している。
【０１１０】
なお、同図において、発光体２３の配置部位は略記する。
【０１１１】
かくして本発明の太陽光発電装置によれば、表示性や装飾性のある発光体２３に対し、その発光の背面に非発光の太陽電池素子１６を配置したことで、その輝度が高くなった。とくに青色や濃青色の太陽電池素子１６を、その発光の背面に配置した構成にしたことで、昼間でも、その輝度が顕著になった。
【０１１２】
また、本例の太陽光発電装置においては、三角形状の太陽電池モジュール１５ｄを用いたことで、その表示性能が高くなり、装飾性が向上し、さまざまな機能に適用できた。
【０１１３】
（例５）
上述した（例１）〜（例３）の太陽光発電装置においては、矩形状の太陽電池モジュールを用いたが、これに代えて図１４に示すごとく、円形状の太陽電池モジュール１５ｅを製作し、さらに複数個の太陽電池素子１６を千鳥状に配列し、さらに、枠体２１でもって太陽電池モジュール１５ｅの本体を支持している。
【０１１４】
なお、同図において、発光体２３の配置部位は略記する。
【０１１５】
かくして本発明の太陽光発電装置によれば、表示性や装飾性のある発光体２３に対し、その発光の背面に非発光の太陽電池素子１６を配置したことで、その輝度が高くなった。とくに青色や濃青色の太陽電池素子１６を、その発光の背面に配置した構成にしたことで、昼間でも、その輝度が顕著になった。
【０１１６】
また、本例の太陽光発電装置においては、円形状の太陽電池モジュール１５ｅを用いたことで、その表示性能が高くなり、装飾性が向上し、さまざまな機能に適用できた。
【図面の簡単な説明】
【０１１７】
【図１】本発明の太陽光発電装置の太陽電池モジュールを模式的に説明する概略断面図である。
【図２】本発明に係る太陽電池モジュールの要部拡大図である。
【図３】本発明に係る太陽電池モジュールにおける発光体の取り付け可能な領域を示す正面図である。
【図４】図３に示す太陽電池モジュールにおいて、切断面線Ａ−Ａによる断面図である。
【図５】本発明に係る太陽電池モジュールの太陽電池素子の裏面の端部に反射鏡を設けた実施例の要部拡大図である。
【図６】本発明に係る太陽電池モジュールの太陽電池素子の受光面上に発光体を設け、さらに発光体と太陽電池素子の受光面との間に反射鏡を設けた実施例の概略断面図である。
【図７】本発明に係る太陽電池モジュールの太陽電池素子の受光面上に発光体を設け、さらに発光体と太陽電池素子の受光面との間に反射鏡を設けた実施例の要部拡大図である。
【図８】本発明の太陽光発電装置に係る発光体への配線を説明する配線図である。
【図９】住宅の屋根に本発明の太陽光発電装置を配置した斜視図である。
【図１０】本発明の太陽光発電装置に係る太陽電池モジュールにおいて表示例を示す正面図である。
【図１１】本発明の太陽光発電装置に係る太陽電池モジュールにおいて他の表示例を示す正面図である。
【図１２】本発明の太陽光発電装置に係る太陽電池モジュールにおいて、さらに他の表示例を示す正面図である。
【図１３】本発明の太陽光発電装置に係る太陽電池モジュールにおいて、三角形状の太陽電池モジュールを示す正面図である。
【図１４】本発明の太陽光発電装置に係る太陽電池モジュールにおいて、円形状の太陽電池モジュールを示す正面図である。
【図１５】従来の太陽光発電装置に係る太陽電池モジュールの概略断面図である。
【図１６】従来の他の太陽光発電装置に係る太陽電池モジュールの概略断面図である。
【符号の説明】
【０１１８】
２・・・太陽光発電装置
４、１５、１５ａ、１５ｂ、１５ｃ、１５ｄ、１５ｅ・・・太陽電池モジュール
８、１６、１６ａ、１６ｂ、１６ｃ、１６ｄ、１６ｅ・・・太陽電池素子
９、１７・・・光透過板
１１、２１・・・枠体
１８・・・耐候性フィルム
１９・・・充填材
２０・・・ジャンクションボックス
２２、２２ａ、２２ｂ、２２ｃ、２２ｄ・・・間隙
２３、２３ａ、２３ｂ、２３ｃ、２３ｄ、２３ｅ・・・発光体
３０、３１・・・反射鏡
【図１】
2005072320.tif 000003
【図２】
2005072320.tif 000004
【図３】
2005072320.tif 000005
【図４】
2005072320.tif 000006
【図５】
2005072320.tif 000007
【図６】
2005072320.tif 000008
【図７】
2005072320.tif 000009
【図８】
2005072320.tif 000010
【図９】
2005072320.tif 000011
【図１０】
2005072320.tif 000012
【図１１】
2005072320.tif 000013
【図１２】
2005072320.tif 000014
【図１３】
2005072320.tif 000015
【図１４】
2005072320.tif 000016
【図１５】
2005072320.tif 000017
【図１６】
2005072320.tif 000018